(57)【要約】【課題】無線通信システムにおいてのハンドオーバにおける少なくとも１つの通話の処理方法及びその方法を用いる無線通信装置を提供する。【解決手段】無線通信システムは少なくとも１つの無線通信ネットワークと無線通信装置とを備える。最初に、無線通信装置は、少なくとも１つのパケット交換（PS）通話を、少なくとも１つの回路交換（CS）通話へ切り替えるための前記無線通信ネットワークからのメッセージを受信する。さらに、無線通信装置は、各CS通話のストリーム識別子に識別子の値を設定する。１つの無線通信ネットワーク内のPS通話から、別の無線通信ネットワーク内のCS通話への、単一無線音声通話連続（SRVCC）のハンドオーバをイネーブルにする。また、１つのネットワーク動作モード内のPS通話から、別の無線通信ネットワーク内のCS通話への、SRVCCの多重通話のハンドオーバをイネーブルにする。【選択図】図１
2010273339.tif 000002
【特許請求の範囲】
【請求項１】
無線通信システムにおいてのハンドオーバにおける少なくとも１つの通話の処理方法であって、前記無線通信システムは少なくとも１つの無線通信ネットワークと無線通信装置とを備え、前記処理方法は、
無線通信装置において、少なくとも１つのパケット交換（PS）通話を、少なくとも１つの回路交換（CS）通話へ切り替えるための前記無線通信ネットワークからのメッセージを受信するステップと、
前記無線通信装置において、前記少なくとも１つの回路交換（CS）通話のストリーム識別子に識別子の値を設定するステップと、を有する処理方法。
【請求項２】
前記無線通信装置において、前記回路交換（CS）通話へ切り替えるべき１つ以上のパケット交換（PS）通話が現在あるかどうかを確認し、ある場合には次のステップの実行に進むステップと、
前記無線通信装置において、各前記回路交換（CS）通話の無線リンク構成を、回路交換（CS）無線アクセスベアラー（RAB）の特性により、対応するインターネット・プロトコル・マルチメディア・サブシステム（IMS）の通話を処理するアプリケーションへ表わすステップと、をさらに有する請求項１に記載の処理方法。
【請求項３】
前記無線通信装置は、回路交換（CS）無線アクセスベアラー（RAB）の構成により、回路交換（CS）無線アクセスベアラー（RAB）が音声通話用であるか、又は、データ要求用であるかどうかを決定する、請求項２に記載の処理方法。
【請求項４】
前記パケット交換（PS）通話を、前記回路交換（CS）通話へ切り替えるための前記無線通信ネットワークからの前記メッセージは、ハンドオーバのコマンドである、請求項１に記載の処理方法。
【請求項５】
前記ハンドオーバのコマンドは、ハンドオーバからユニバーサル携帯電話システム地上無線アクセスネットワーク（UTRAN）へのコマンドになることができ、前記識別子の値は、前記回路交換（CS）通話用の前記ハンドオーバからUTRANへのコマンドに含まれる、回路交換（CS）無線アクセスベアラー（RAB）の無線アクセスベアラー（RAB）識別子である、請求項４に記載の処理方法。
【請求項６】
前記無線通信ネットワークは、さらに前記回路交換（CS）通話のストリーム識別子に前記識別子の値を設定する、請求項１に記載の処理方法。
【請求項７】
前記パケット交換（PS）通話を、前記回路交換（CS）通話へ切り替えるための前記無線通信ネットワークからの前記メッセージは、前記無線通信装置が前記回路交換（CS）通話へ切り替えるべき２つ以上のパケット交換（PS）通話を有する際、各前記回路交換（CS）通話用の識別子の値及び無線リンク構成を含む、請求項１に記載の処理方法。
【請求項８】
前記パケット交換（PS）通話を、前記回路交換（CS）通話へ切り替えるための前記無線通信ネットワークからの前記メッセージは、ハンドオーバからUTRANへのコマンドであり、前記無線リンク構成は、回路交換（CS）無線アクセスベアラー（RAB）の構成であり、前記識別子の値は、前記回路交換（CS）無線アクセスベアラー（RAB）の無線アクセスベアラー（RAB）識別子である、請求項２に記載の処理方法。
【請求項９】
前記無線通信装置は、前記回路交換（CS）無線アクセスベアラー（RAB）が、音声通話用に決定される際、前記回路交換（CS）無線アクセスベアラー（RAB）に含まれる無線ベアラー（RB）の数により、回路交換（CS）適応マルチレート（AMR）狭帯域（NB）音声通話用か、又は、回路交換（CS）適応マルチレート（AMR）広帯域（WB）音声通話用かどうかを決定する、請求項３に記載の処理方法。
【請求項１０】
前記無線通信装置は、前記回路交換（CS）無線アクセスベアラー（RAB）が、前記回路交換（CS）無線アクセスベアラー（RAB）に含まれる無線ベアラー（RB）の数が１の場合に、データ要求用であることを決定する、請求項９に記載の処理方法。
【請求項１１】
前記識別子の値はデフォルト値である、請求項１に記載の処理方法。
【請求項１２】
前記無線通信装置において、多重通話機能をディセーブルにするステップと、
前記無線通信装置において、前記無線通信装置が前記回路交換（CS）通話を解除する際、前記多重通話機能をイネーブルにするステップと、をさらに有する、請求項１に記載の処理方法。
【請求項１３】
前記無線通信ネットワークは、前記無線通信装置（UE）が、多重通話を支持し、前記回路交換（CS）通話へ切り替えられる前記パケット交換（PS）通話の数を決定するかどうかを考慮する、請求項１に記載の処理方法。
【請求項１４】
前記パケット交換（PS）通話を、前記回路交換（CS）通話へ切り替えるための前記無線通信ネットワークからの前記メッセージは、ハンドオーバからグローバル・システム・フォー・モバイル・コミュニケーションズ（GSM）進化無線アクセスネットワーク（GERAN）へのコマンドであり、前記無線リンク構成は、前記回路交換（CS）無線アクセスベアラー（RAB）の構成であり、前記識別子の値は、前記回路交換（CS）無線アクセスベアラー（RAB）の無線アクセスベアラー（RAB）識別子であり、前記回路交換（CS）通話のうちの１つ用の前記ハンドオーバからGERANへのコマンドに含まれる、請求項３に記載の処理方法。
【請求項１５】
前記無線通信装置は、前記回路交換（CS）無線アクセスベアラー（RAB）のデータ速度により、前記回路交換（CS）無線アクセスベアラー（RAB）が、回路交換（CS）フルレート（FR）音声通話用であるか、回路交換（CS）ハーフレート（HR）音声通話用であるか、回路交換（CS）エンハンスト・フルレート（EFR）用であるか、又は回路交換（CS）適応マルチレート（AMR）狭帯域（NB）音声通話用であるかどうかを、さらに決定する、請求項１４に記載の処理方法。
【発明の詳細な説明】
【技術分野】
【０００１】
本発明は、無線通信システムにおいてのハンドオーバにおける少なくとも１つの通話の処理方法及びその方法を用いる無線通信装置に関し、特に、異なる無線通信ネットワークにおける少なくとも１つの回路交換（CS（Circuit-switched））通話への少なくとも１つのパケット交換（PS（Packet-switched））通話のハンドオーバの処理方法及びその方法を用いる無線通信装置に関する。
【背景技術】
【０００２】
現在、進化ユニバーサル電話システム地上無線アクセスネットワーク（E-UTRAN（evolved Universal Telephone System Terrestrial Radio Access Network））は、パケット交換（PS）接続のみ有するように設計されており、E-UTRANにおける音声通話アプリケーションは、ボイス・オーバ・インターネット・プロトコル（VoIP（Voice over Internet Protocol））のアプリケーション又はインターネット・プロトコル・マルチメディア・サブシステム（IMS（IP Multimedia subsystem））の音声通話の形式で提供されなければならない。しかしながら、E-UTRANを起動するほとんどの運営者は、他の無線通信技術に基づく他のタイプのネットワークをなお有することができ、運営者は、E-UTRANから他のネットワークへのシームレスかつ円滑なVoIP通話又はIMS音声通話のハンドオーバを望んでいる。例えば、E-UTRANを起動する運営者の１人は、UTRAN及びグローバル・システム・フォー・モバイル・コミュニケーションズ（GSM（Global System for Mobile Communications））進化無線アクセスネットワーク（以後、GERAN（GSM evolution radio access network）と略す）用のGSM強化データ速度を有することができる。多重通話機能を有するユーザ装置（UE（User Equipment））が、E-UTRANにおけるパケット交換（PS）ドメイン接続の１つの下でのIMS音声通話を有し、E-UTRANが、単一無線音声通話連続（SRVCC（single radio voice call continuity））のハンドオーバを対応して起動する際、ユーザ装置（UE）は、回路交換（CS）通話が低待ち時間、低ビット誤り率及び低時間変動のようなより良いサービス品質（QoS（quality of service））を有するため、UTRANかGERANかのどちらかでIMS音声通話を回路交換（CS）通話へ転送できる。
【０００３】
ユーザ装置（UE）及びUTRAN（又はGERAN）が、回路交換（CS）通話用の同一のストリーム識別子（SI（stream identifier））を設定するかどうか、現在、明らかではない。通常、ユーザ装置（UE）が支持する多重通話（すなわち、多重通話機能を有する）は、UTRAN又はGERANへ送られるべきセットアップ（SETUP）メッセージ内にストリーム識別子（SI）を含む。多重通話を支持するネットワーク（例えば、UTRAN又はGERAN）は、ユーザ装置（UE）からのセットアップ（SETUP）メッセージを受信後に、以下のように、ストリーム識別子（SI）の値を解釈できる。ユーザ装置（UE）が、発信呼の開始に、新しいストリーム識別子（SI）の値を生成するならば、新しいトラフィック・チャネルを発信呼に割り当てなければならない。これに反して、ユーザ装置（UE）が、既存のストリーム識別子（SI）の値を示すだけならば、示されたトラフィック・チャネルを発信呼に用いなければならない。ユーザ装置（UE）が支持する多重通話は、新しいトラフィック・チャネルが多重通話を支持しない無線通信ネットワークに要求されるという指示付きの追加のセットアップ（SETUP）を決して送らない。
【０００４】
その上、ユーザ装置（UE）が多重通話を支持するならば、ユーザ装置（UE）はセットアップ（SETUP）メッセージ内にストリーム識別子（SI）の情報要素を含めなければならない。最初の電話（すなわち、他に電話中でない場合）に対して、ストリーム識別子（SI）は最初に１から始まることができる。通常、ストリーム識別子（SI）の値は３ビットを持つことができる。しかしながら、ユーザ装置（UE）が回路交換（CS）通話に対してストリーム識別子（SI）の値を設定しないで、ネットワークがストリーム識別子（SI）の値を１に設定するならば、後に、ユーザ装置（UE）が回路交換（CS）ストリーミング通話を始めて、その回路交換（CS）ストリーミング通話に対してストリーム識別子（SI）の値を１に設定する際、UTRAN（又はGERAN）は、１つの回路交換（CS）音声通話に対してSI＝１がすでに設定されていると考えるので、回路交換（CS）ストリーミング通話のセットアップは失敗する。さらに、UTRAN又はGERANは、無線アクセスベアラー（RAB（Radio access bearer））識別子又はトラフィック・チャネル識別子がストリーム識別子（SI）と同一であることが必要とされるので、回路交換（CS）ストリーミング通話用の回路交換（CS）音声通話のトラフィック・チャネル構成を用いることができない。加えるに、E-UTRANからUTRAN又はGERANのいずれかへのハンドオーバにおける多重通話の処理方法は、また、現在、明確ではない。
【発明の概要】
【発明が解決しようとする課題】
【０００５】
従って、無線通信システムにおいてのハンドオーバにおける通話又は多重通話の処理方法及び関連する通信装置は、研究し議論すべき問題である。
【課題を解決するための手段】
【０００６】
それ故に、本発明は、異なる無線通信ネットワークにおける少なくとも１つの回路交換（CS）通話への少なくとも１つのパケット交換（PS）通話のハンドオーバの処理方法及びその方法を用いる無線通信装置を提案する。本方法は、１つのネットワーク動作モード内の少なくとも１つのパケット交換（PS）通話から、別のネットワーク動作モード内の少なくとも１つの回路交換（CS）通話への、単一無線音声通話連続（SRVCC）のハンドオーバをイネーブルにする。また、本方法は、１つの無線通信ネットワーク内の少なくとも１つのパケット交換（PS）通話から、別の無線通信ネットワーク内の少なくとも１つの回路交換（CS）通話への、単一無線音声通話連続（SRVCC）の多重通話のハンドオーバをイネーブルにする。
【０００７】
本発明は、無線通信システムにおいてのハンドオーバにおける少なくとも１つの通話の処理方法を提案する。前記無線通信システムは少なくとも１つの無線通信ネットワークと無線通信装置とを備える。前記処理方法は、以下のステップを有する。最初に、無線通信装置は、少なくとも１つのパケット交換（PS）通話を、少なくとも１つの回路交換（CS）通話へ切り替えるための前記無線通信ネットワークからのメッセージを受信する。さらに、前記無線通信装置は、前記少なくとも１つの回路交換（CS）通話のストリーム識別子に識別子の値を設定する。
【０００８】
本発明は、また、無線通信システムにおいてのハンドオーバにおける少なくとも１つの通話の処理のための無線通信装置を提案する。無線通信装置は、メッセージ受信モジュール、ストリーム識別子構成モジュール、送受信機モジュール、メモリモジュール及びプロセッサを含む。メッセージ受信モジュールは、パケット交換（PS）通話から回路交換（CS）通話へ切り替えるためのメッセージを、無線通信ネットワークから受信する。その上、ストリーム識別子構成モジュールは、各回路交換（CS）通話のストリーム識別子（SI）に識別子の値を設定する。さらに、送受信機モジュールは、情報を無線通信ネットワークへ送信し、情報を無線通信ネットワークから受信し、受信した情報は、パケット交換（PS）通話から回路交換（CS）通話へ切り替えるためのメッセージを含む。メモリモジュールは、少なくとも１つのパケット交換（PS）通話から回路交換（CS）通話へ切り替えるためのメッセージを保存する。また、プロセッサはメッセージ受信モジュール及びストリーム識別子構成モジュールを実行し、送受信機モジュールを制御する。
【０００９】
本発明は、無線通信システムにおいてのハンドオーバにおける少なくとも１つの通話処理方法及び無線通信システムにおいてのハンドオーバにおける少なくとも１つの通話処理のための無線通信装置を提案する。無線通信装置は、１つの動作モード内の少なくとも１つのパケット交換（PS）通話を、別の動作モード内の少なくとも１つの回路交換（CS）通話へ切り替えるための無線通信ネットワークから送られたメッセージを受信した後に、少なくとも１つの回路交換（CS）通話のストリーム識別子（SI）に識別子の値を設定する。無線通信ネットワークは、また、少なくとも１つの回路交換（CS）通話用のストリーム識別子（SI）に、同一の識別子の値を設定する。従って、本方法は、無線通信装置及び無線通信ネットワークにより設定された少なくとも１つの回路交換（CS）通話用のストリーム識別子（SI）の不一致による、少なくとも１つの回路交換（CS）通話のセットアップの失敗を避けることができる。また、本方法は、１つの無線通信ネットワーク内の少なくとも１つのパケット交換（PS）通話から、別の無線通信ネットワーク内の少なくとも１つの回路交換（CS）通話への、単一無線音声通話連続（SRVCC）の多重通話のハンドオーバをイネーブルにする。
【００１０】
本発明の特徴及び利点を分かりやすくするために、図面を添付した例示的な実施形態を以下に詳細に説明する。
【００１１】
なお、前述の一般的説明及び以下の詳細な説明は例示的であり、特許請求の範囲に記載の本発明をさらに説明することを意図している。
【００１２】
添付図面は、本発明をさらに理解するために含められ、本明細書の一部に組み込まれ、その一部を構成する。図面は、本発明の実施形態を例示し、明細書と共に本発明の原理を説明するのに役立つ。
【図面の簡単な説明】
【００１３】
【図１】本発明の第1の例示的な実施形態による無線通信システムにおいてのハンドオーバにおける少なくとも１つの通話の処理の例示的プロセスを示すフロー図である。
【図２】本発明の第２の例示的な実施形態による無線通信システムにおいてのハンドオーバにおける少なくとも１つの通話の処理の例示的プロセスを示すフロー図である。
【図３】本発明の第３の例示的な実施形態による無線通信システムにおいてのハンドオーバにおける少なくとも１つの通話の処理の例示的プロセスを示すフロー図である。
【図４】本発明の第４の例示的な実施形態による無線通信システムにおいてのハンドオーバにおける少なくとも１つの通話の処理の例示的プロセスを示すフロー図である。
【図５】本発明の第５の例示的な実施形態による無線通信システムにおいてのハンドオーバにおける少なくとも１つの通話の処理の例示的プロセスを示すフロー図である。
【図６】本発明の第６の例示的な実施形態による無線通信システムにおいてのハンドオーバにおける少なくとも１つの通話の処理用の無線通信装置６００の構造を例示する概略ブロック図である。
【発明を実施するための形態】
【００１４】
いくつかの例が添付図面で例示される本発明の実施形態を詳細に参照する。可能な限り、同一又は類似の部分を参照するために、図面及び明細書中で同一の参照番号を用いる。
【００１５】
本発明は、無線通信システムにおいてのハンドオーバにおける通話処理方法を提案する。無線通信システムは、少なくとも無線通信ネットワーク及び無線通信装置を含む。本方法は以下のステップを含む。最初に、無線通信装置は、パケット交換（PS）通話から回路交換（CS）通話へ切り替えるためのメッセージを、無線通信ネットワークから受信する。さらに、無線通信装置は、各回路交換（CS）通話のストリーム識別子（SI）に識別子の値を設定する。
【００１６】
本発明は、また、無線通信システムにおいてのハンドオーバにおける少なくとも１つの通話を処理するための無線通信装置を提案する。無線通信装置は、メッセージ受信モジュール、ストリーム識別子構成モジュール、送受信機モジュール、メモリモジュール及びプロセッサを含む。メッセージ受信モジュールは、パケット交換（PS）通話から回路交換（CS）通話へ切り替えるためのメッセージを、無線通信ネットワークから受信する。その上、ストリーム識別子構成モジュールは、各回路交換（CS）通話のストリーム識別子（SI）に識別子の値を設定する。さらに、送受信機モジュールは、情報を無線通信ネットワークへ送信し、情報を無線通信ネットワークから受信し、受信した情報は、パケット交換（PS）通話から回路交換（CS）通話へ切り替えるためのメッセージを含む。メモリモジュールは、少なくとも１つのパケット交換（PS）通話から回路交換（CS）通話へ切り替えるためのメッセージを保存する。また、プロセッサはメッセージ受信モジュール及びストリーム識別子構成モジュールを実行し、送受信機モジュールを制御する。
【００１７】
本発明の全ての例示的な実施形態において、無線通信システムは、少なくとも無線通信ネットワーク及び無線通信装置を含む。無線通信ネットワークは、１つ以上の動作モードを含むことができ、２つ以上のサブネットワークを含むことができる。例えば、無線通信ネットワークは、ユニバーサル携帯電話システム地上無線アクセスネットワーク（UTRAN（Universal Mobile Telephone System Terrestrial Radio Access Network））、進化ユニバーサル電話システム地上無線アクセスネットワーク（E-UTRAN（evolved Universal Telephone System Terrestrial Radio Access Network））及びグローバル・システム・フォー・モバイル・コミュニケーションズ（GSM（Global System for Mobile Communications））進化無線アクセスネットワーク（以後、GERAN（GSM evolution radio access network）と略す）用のGSM強化データ速度を含むことができる。同様に、無線通信装置は、UTRAN、E-UTRAN及びGERANへ情報を送信し、及びUTRAN、E-UTRAN及びGERANから情報を受信する機能もまた、有することができる。上記の無線通信システムは、本発明を限定することを意味するものではなく、無線通信システムは、１つ以上の無線通信ネットワーク及び１つ以上の無線通信装置を含むことができる。
【００１８】
無線通信ネットワークが異なる独立のネットワーク（例えば、UTRAN、E-UTRAN及びGERAN）により統合される本発明の例示的な実施形態の場合に、無線通信装置は、これらの独立のネットワークの中であちこち移動することができるが、１つのネットワーク（例えば、E-UTRAN）から以前に確立された１つ以上のパケット交換（PS）通話を、別のサブネットワーク（例えば、UTRAN）内の回路交換（CS）通話へハンドオーバしなければならない。さらに、無線通信装置は、多重通話機能を有することができ、この多重通話機能は、無線通信装置が少なくとも２つの回路交換（CS）通話を同時にサポートすることを意味する。なお、パケット交換（PS）通話は、単一無線音声通話連続（SRVCC）用に適合できる。
【００１９】
図１は、本発明の第1の例示的な実施形態による無線通信システムにおいてのハンドオーバにおける少なくとも１つの通話の処理の例示的プロセス１００を示すフロー図である。図１を参照するに、本発明の第1の例示的な実施形態において、プロセスブロックＳ１０２の前に、無線通信装置（簡単にするために、以後、UEと呼ぶ）は、多重通話機能を有すると仮定し、無線通信ネットワークにおいて少なくとも１つのパケット交換（PS）通話を確立している。しかしながら、いくつかの理由により、無線通信ネットワークは、１つのネットワーク（例えば、E-UTRAN）からの少なくとも１つのパケット交換（PS）通話を、別のサブネットワーク（例えば、UTRAN）内の少なくとも１つの回路交換（CS）通話へ切り替えるためのメッセージを送り始める。上記のいくつかの理由は、ネットワーク容量限界、悪い信号対雑音比（SNR（signal-to-noise ratio））、悪い信号強度レベル等のようなことである。プロセス１００はプロセスブロックＳ１０２において開始する。プロセスブロックＳ１０２の後に、プロセス１００はプロセスブロックＳ１０４へ移ることができる。
【００２０】
プロセスブロックＳ１０４において、UEは、少なくとも１つのパケット交換（PS）通話を、少なくとも１つの回路交換（CS）通話へ切り替えるための無線通信ネットワークからのメッセージを受信する。なお、少なくとも１つのパケット交換（PS）通話を、少なくとも１つの回路交換（CS）通話へ切り替えるための無線通信ネットワークからのメッセージは、ハンドオーバのコマンドである。その上、ハンドオーバのコマンドは、ハンドオーバからUTRANへのコマンドになることができ、回路交換（CS）無線アクセスベアラー（RAB）の無線アクセスベアラー（RAB）識別子は、回路交換（CS）通話用のハンドオーバからUTRANへのコマンドに含まれる。さらに、ハンドオーバのコマンドは、ハンドオーバからGERANへのコマンドになることができ、回路交換（CS）無線アクセスベアラー（RAB）の無線アクセスベアラー（RAB）識別子は、回路交換（CS）通話用のハンドオーバからGERANへのコマンドに含まれる。プロセスブロックＳ１０４の後に、プロセス１００はプロセスブロックＳ１０６へ移ることができる。
【００２１】
プロセスブロックＳ１０６において、UEは、少なくとも１つの回路交換（CS）通話のストリーム識別子（SI）に識別子の値を設定する。それに対応して、無線通信ネットワークは、無線通信ネットワークに保存される少なくとも１つの回路交換（CS）通話のストリーム識別子（SI）に、UEにより設定されたものと同一の識別子の値を設定する。なお、以下の例示的な実施形態において、識別子の値は、回路交換（CS）通話用のハンドオーバからUTRANへのコマンドに含まれる、回路交換（CS）無線アクセスベアラー（RAB）の無線アクセスベアラー（RAB）識別子、少なくとも１つの回路交換（CS）通話用のハンドオーバからGERANへのコマンドに含まれる、回路交換（CS）無線アクセスベアラー（RAB）の無線アクセスベアラー（RAB）識別子又はデフォルト値である。デフォルト値は１に等しくできるが、デフォルト値の値は本発明を限定するために用いられない。
【００２２】
プロセスブロックＳ１０６の後に、プロセス１００はプロセスブロックＳ１０８へ移ることができる。プロセス１００はプロセスブロックＳ１０８において終了する。さらに、少なくとも１つのパケット交換（PS）通話が複数のパケット交換（PS）通話を含み、かつ、少なくとも１つの回路交換（CS）通話が複数の回路交換（CS）を含む際、プロセスブロックＳ１０６において、UEは、回路交換（CS）通話のストリーム識別子（SI）に識別子の値をそれぞれ設定する。それに対応して、無線通信ネットワークは、無線通信ネットワークに保存される回路交換（CS）通話のストリーム識別子（SI）に、UEにより設定されたものと同一の識別子の値を設定する。
【００２３】
代替的に、プロセス１００は、連続的に、又は、UEにより検出された悪い信号対雑音比（SNR）の状態のような条件の結果として引き起こされる際に、周期的に繰り返すことができる。さらに、プロセスブロックＳ１０２〜Ｓ１０８は、全プロセス１００を繰り返さずに、連続的に、又は、条件の結果として引き起こされる際に、周期的に繰り返すことができる。例えば、プロセスブロックＳ１０２〜Ｓ１０８は、悪い信号対雑音比（SNR）の状態がUEにより検出される刺激に応じて、何回も繰り返すことができる。他の組み合わせ及び置換は、同様に可能である。
【００２４】
図２は、本発明の第２の例示的な実施形態による無線通信システムにおいてのハンドオーバにおける少なくとも１つの通話の処理の例示的プロセス２００を示すフロー図である。図２を参照するに、本発明の第２の例示的な実施形態において、プロセスブロックＳ２０２の前に、UEは、無線通信ネットワークにおいて、インターネット・プロトコル・マルチメディア・サブシステム（IMS）の通話のような少なくとも１つのパケット交換（PS）通話を確立している。インターネット・プロトコル・マルチメディア・サブシステム（IMS）の通話は、例えば、インスタント・メッセージ、音声通話、他のセッション初期化プロトコル（SIP（session initiation protocol））ベースの通話又は、他のセッション確立プロトコルベースの（SIP-based（Session Initiation Protocol-based））通信アプリケーションである。特に、インターネット・プロトコル・マルチメディア・サブシステム（IMS）の通話の音声通話は、ボイス・オーバ・インターネット・プロトコル（VoIP）の通話にできる。さらに、プロセス２００は図1のプロセス１００に類似しており、プロセスブロックＳ２０４〜Ｓ２１２を以下に説明する。
【００２５】
プロセスブロックＳ２０４において、UEは、少なくとも１つのパケット交換（PS）通話を、少なくとも１つの回路交換（CS）通話へ切り替えるための無線通信ネットワークからのメッセージを受信する。少なくとも１つのパケット交換（PS）通話を、少なくとも１つの回路交換（CS）通話へ切り替えるための無線通信ネットワークからのメッセージは、ハンドオーバのコマンドであり、少なくとも１つの回路交換（CS）通話用の識別子の値及び無線リンク構成を含む。UEが、現在、回路交換（CS）通話へ切り替えるべき１つ以上のパケット交換（PS）通話を有している場合、パケット交換（PS）通話を、回路交換（CS）通話へ切り替えるための無線通信ネットワークからのメッセージは、ハンドオーバのコマンドであり、回路交換（CS）通話用のそれぞれの識別子の値及び無線リンク構成を含む。その上、ハンドオーバのコマンドは、ハンドオーバからUTRANへのコマンドになることができ、回路交換（CS）無線アクセスベアラー（RAB）の無線アクセスベアラー（RAB）識別子は、回路交換（CS）通話用のハンドオーバからUTRANへのコマンドに含まれる。さらに、ハンドオーバのコマンドは、ハンドオーバからGERANへのコマンドになることができ、回路交換（CS）無線アクセスベアラー（RAB）の無線アクセスベアラー（RAB）識別子は、回路交換（CS）通話用のハンドオーバからGERANへのコマンドに含まれる。プロセスブロックＳ２０４の後に、プロセス２００はプロセスブロックＳ２０６へ移ることができる。
【００２６】
プロセスブロックＳ２０６において、UEは、少なくとも１つの回路交換（CS）通話のストリーム識別子（SI）に識別子の値を設定する。それに対応して、無線通信ネットワークは、無線通信ネットワークに保存される少なくとも１つの回路交換（CS）通話のストリーム識別子（SI）に、UEにより設定されたものと同一の識別子の値を設定する。なお、識別子の値は、回路交換（CS）通話用のハンドオーバからUTRANへのコマンドに含まれる、回路交換（CS）無線アクセスベアラー（RAB）の無線アクセスベアラー（RAB）識別子、又は、少なくとも１つの回路交換（CS）通話用のハンドオーバからGERANへのコマンドに含まれる、回路交換（CS）無線アクセスベアラー（RAB）の無線アクセスベアラー（RAB）識別子である。
【００２７】
プロセスブロックＳ２０６の後に、プロセス２００はプロセスブロックＳ２０８へ移ることができる。プロセスブロックＳ２０８において、UEは、回路交換（CS）通話へ切り替えるべき１つ以上のパケット交換（PS）通話が現在あるかどうかを確認する。イエスであれば、プロセスブロックＳ２０８の後に、プロセス２００はプロセスブロックＳ２１０へ移ることができる。ノーであれば、プロセスブロックＳ２０８の後に、プロセス２００はプロセスブロックＳ２１２へ移ることができる。
【００２８】
プロセスブロックＳ２１０において、UEは、各回路交換（CS）通話の無線リンク構成を、回路交換（CS）無線アクセスベアラー（RAB）の特性により、対応するインターネット・プロトコル・マルチメディア・サブシステム（IMS）の通話を処理するアプリケーションへ表わす。インターネット・プロトコル・マルチメディア・サブシステム（IMS）の通話を処理するアプリケーションは、例えば、インスタント・メッセージのアプリケーション、音声通話のアプリケーション、他のセッション確立プロトコルベースの（SIP-based）通信アプリケーションである。特に、インターネット・プロトコル・マルチメディア・サブシステム（IMS）の通話を処理するアプリケーションは、ボイス・オーバ・インターネット・プロトコル（VoIP）の通話のアプリケーションにできる。また、パケット交換（PS）通話を回路交換（CS）通話へ切り替えるための無線通信ネットワークからのメッセージは、各回路交換（CS）通話用の識別子の値及び無線リンク構成を含む。UEは、さらに、パケット交換（PS）通話の無線リンク構成により、対応するインターネット・プロトコル・マルチメディア・サブシステム（IMS）の通話を処理するアプリケーションのタイプを決定することができる。例えば、無線リンク構成に含まれるデータ速度が速ければ、対応するインターネット・プロトコル・マルチメディア・サブシステム（IMS）の通話を処理するアプリケーションは、ストリーミング・アプリケーションとして決定することができる。他方では、無線リンク構成に含まれるデータ速度が遅ければ、対応するインターネット・プロトコル・マルチメディア・サブシステム（IMS）の通話を処理するアプリケーションは、音声通話のアプリケーション又はボイス・オーバ・インターネット・プロトコル（VoIP）の通話のアプリケーションとして決定することができる。その上、なお、ハンドオーバのコマンドが、プロセスブロックＳ２０４において、ハンドオーバからGERANへのコマンドとして決定されるならば、回路交換（CS）通話へ切り替えるべき唯一のパケット交換（PS）通話があり、通常、プリセットの最優先順位の高いパケット交換（PS）通話は、回路交換（CS）通話へ切り替えられ、一方、残りのパケット交換（PS）通話は、（存在するならば）廃棄されるか又はパケット交換（PS）ドメインへハンドオーバされる。さらに、このような場合、UEは、単に、回路交換（CS）通話の無線リンク構成を、回路交換（CS）無線アクセスベアラー（RAB）の特性により、対応するインターネット・プロトコル・マルチメディア・サブシステム（IMS）の通話を処理するアプリケーションへ表わす。
【００２９】
他の例示的な実施形態において、各回路交換（CS）通話の無線リンク構成を、回路交換（CS）無線アクセスベアラー（RAB）の特性により、対応するインターネット・プロトコル・マルチメディア・サブシステム（IMS）の通話を処理するアプリケーションへ表わす、プロセスブロックＳ１１０における別の方法を、以下に例示する。UEは、回路交換（CS）無線アクセスベアラー（RAB）の構成により、回路交換（CS）無線アクセスベアラー（RAB）が音声通話であるか、又は、データ要求であるかを決定する。前述の例に基づき、UEは、回路交換（CS）無線アクセスベアラー（RAB）のデータ速度により、回路交換（CS）無線アクセスベアラー（RAB）が、回路交換（CS）適応マルチレート（AMR（Adaptive Multi-Rate））狭帯域（NB（narrow band））音声通話か、又は、回路交換（CS）適応マルチレート（AMR）広帯域（WB（wide band））音声通話かどうかを決定することができる。別の例では、UEは、また、回路交換（CS）無線アクセスベアラー（RAB）が、音声通話用に決定される際、回路交換（CS）無線アクセスベアラー（RAB）に含まれる無線ベアラー（RB（Radio Bearer））の数により、回路交換（CS）適応マルチレート（AMR）狭帯域（NB）音声通話か、又は、回路交換（CS）適応マルチレート（AMR）広帯域（WB）音声通話かどうかを決定することができる。例えば、回路交換（CS）無線アクセスベアラー（RAB）のうちの１つが３つの無線ベアラー（RB）を含んでいれば、その回路交換（CS）無線アクセスベアラー（RAB）は、回路交換（CS）適応マルチレート（AMR）狭帯域（NB）音声通話用として決定することができる。別の例では、別の回路交換（CS）無線アクセスベアラー（RAB）が２つの無線ベアラー（RB）を含んでいれば、その回路交換（CS）無線アクセスベアラー（RAB）は、回路交換（CS）適応マルチレート（AMR）広帯域（WB）音声通話用として決定することができる。しかしながら、本発明は上記の例に限定されず、本発明の他の例示的な実施形態は、他のパラメータに従って、回路交換（CS）無線アクセスベアラー（RAB）が、回路交換（CS）適応マルチレート（AMR）狭帯域（NB）音声通話か、又は、回路交換（CS）適応マルチレート（AMR）広帯域（WB）音声通話かどうかを決定することができる。さらに、UEは、また、回路交換（CS）無線アクセスベアラー（RAB）に含まれる無線ベアラー（RB）の数が１であれば、回路交換（CS）無線アクセスベアラー（RAB）は、データ要求用であることを決定することができる。その上、UEは、回路交換（CS）無線アクセスベアラー（RAB）の構成により、回路交換（CS）無線アクセスベアラー（RAB）のデータ速度を決定する。ハンドオーバのコマンドが、プロセスブロックＳ２０４において、ハンドオーバからGERANへのコマンドとして決定されるならば、UEは、回路交換（CS）無線アクセスベアラー（RAB）が、回路交換（CS）フルレート（FR（full rate））音声通話であるか、回路交換（CS）ハーフレート（HR（half rate））音声通話であるか、回路交換（CS）エンハンスト・フルレート（EFR（enhanced full rate））であるか、又は回路交換（CS）適応マルチレート（AMR）狭帯域（NB）音声通話であるかどうかを、回路交換（CS）無線アクセスベアラー（RAB）のデータ速度により決定する。プロセスブロックＳ２１０の後で、プロセス２００はプロセスブ��ックＳ２１２に移ることができる。プロセスブロックＳ２１２でプロセス２００は終了する。代替的に、プロセス２００は、連続的に、又は、UEにより検出された悪い信号対雑音比（SNR）の状態のような条件の結果として引き起こされる際に、周期的に繰り返すことができる。
【００３０】
さらに、プロセスブロックＳ２０２〜Ｓ２１２は、全プロセス２００を繰り返さずに、連続的に、又は、条件の結果として引き起こされる際に、周期的に繰り返すことができる。例えば、プロセスブロックＳ２０２〜Ｓ２１２は、悪い信号対雑音比（SNR）の状態がUEにより検出される刺激に応じて、何回も繰り返すことができる。他の組み合わせ及び置換は、同様に可能である。
【００３１】
図３は、本発明の第３の例示的な実施形態による無線通信システムにおいてのハンドオーバにおける少なくとも１つの通話の処理の例示的プロセス３００を示すフロー図である。図３を参照するに、本発明の第３の例示的な実施形態において、プロセス３００は図1のプロセス１００に類似しており、プロセスブロックＳ３０４及び３０６を以下に説明する。プロセス３００はプロセスブロックＳ３０２から開始して、プロセスブロックＳ３０４へ移る。
【００３２】
プロセスブロックＳ３０４において、UEは、インターネット・プロトコル・マルチメディア・サブシステム（IMS）の通話のような少なくとも１つのパケット交換（PS）通話を、少なくとも１つの回路交換（CS）通話へ切り替えるための無線通信ネットワークからのメッセージを受信する。なお、少なくとも１つのパケット交換（PS）通話を、少なくとも１つの回路交換（CS）通話へ切り替えるための無線通信ネットワークからのメッセージは、ハンドオーバのコマンドである。その上、ハンドオーバのコマンドは、ハンドオーバからUTRANへのコマンドになることができ、回路交換（CS）無線アクセスベアラー（RAB）の無線アクセスベアラー（RAB）識別子は、回路交換（CS）通話用のハンドオーバからUTRANへのコマンドに含まれる。さらに、ハンドオーバのコマンドは、ハンドオーバからGERANへのコマンドになることができ、回路交換（CS）無線アクセスベアラー（RAB）の無線アクセスベアラー（RAB）識別子は、回路交換（CS）通話用のハンドオーバからGERANへのコマンドに含まれる。
【００３３】
プロセスブロックＳ３０４の後に、プロセス３００はプロセスブロックＳ３０６へ移ることができる。プロセスブロックＳ３０６において、UEは、少なくとも１つの回路交換（CS）通話のストリーム識別子（SI）にデフォルト値を設定する。言い換えれば、本発明の第３の例示的な実施形態において、識別子の値がデフォルト値である。さらに、本発明の第３の例示的な実施形態において、デフォルト値は１である。しかしながら、本発明は上記の例に限定されず、本発明の他の例示的な実施形態は、デフォルト値を１以外の数字に設定できる。プロセスブロックＳ３０６の後で、プロセス３００はプロセスブロックＳ３０８に移ることができる。プロセスブロックＳ３０８でプロセス２００は終了する。代替的に、プロセス３００は、連続的に、又は、UEにより検出された悪い信号対雑音比（SNR）の状態のような条件の結果として引き起こされる際に、周期的に繰り返すことができる。
【００３４】
さらに、プロセスブロックＳ３０２〜Ｓ３０８は、全プロセス３００を繰り返さずに、連続的に、又は、条件の結果として引き起こされる際に、周期的に繰り返すことができる。例えば、プロセスブロックＳ３０２〜Ｓ３０８は、悪い信号対雑音比（SNR）の状態がUEにより検出される刺激に応じて、何回も繰り返すことができる。他の組み合わせ及び置換は、同様に可能である。
【００３５】
図４は、本発明の第４の例示的な実施形態による無線通信システムにおいてのハンドオーバにおける少なくとも１つの通話の処理の例示的プロセス４００を示すフロー図である。図４を参照するに、本発明の第４の例示的な実施形態において、プロセス４００は図1のプロセス１００に類似しており、プロセス４００を以下に説明する。プロセス４００はプロセスブロックＳ４０２から開始して、プロセスブロックＳ４０４へ移る。
【００３６】
プロセスブロックＳ４０４において、UEは、少なくとも１つのパケット交換（PS）通話を、少なくとも１つの回路交換（CS）通話へ切り替えるための無線通信ネットワークからのメッセージを受信する。なお、少なくとも１つのパケット交換（PS）通話を、少なくとも１つの回路交換（CS）通話へ切り替えるための無線通信ネットワークからのメッセージは、ハンドオーバのコマンドである。その上、ハンドオーバのコマンドは、ハンドオーバからUTRANへのコマンドになることができ、回路交換（CS）無線アクセスベアラー（RAB）の無線アクセスベアラー（RAB）識別子は、回路交換（CS）通話用のハンドオーバからUTRANへのコマンドに含まれる。さらに、ハンドオーバのコマンドは、ハンドオーバからGERANへのコマンドになることができ、回路交換（CS）無線アクセスベアラー（RAB）の無線アクセスベアラー（RAB）識別子は、回路交換（CS）通話用のハンドオーバからGERANへのコマンドに含まれる。
【００３７】
プロセスブロックＳ４０４の後に、プロセス４００はプロセスブロックＳ４０６へ移ることができる。プロセスブロックＳ４０６において、UEは、多重通話機能をディセーブルにする。多重通話機能は、第４の例示的な実施形態においてディセーブルにされるため、回路交換（CS）通話に切り替えられるべき１つ以上のパケット交換（PS）通話があるならば、ただ１つのパケット交換（PS）通話が回路交換（CS）通話に切り替えられる。通常、プリセットの最優先順位の高いパケット交換（PS）通話は、回路交換（CS）通話へ切り替えられ、一方、残りのパケット交換（PS）通話は、（存在するならば）廃棄される。
【００３８】
プロセスブロックＳ４０６の後に、プロセス４００はプロセスブロックＳ４１０へ移ることができる。プロセスブロックＳ４１０において、UEは、回路交換（CS）通話が解除されると、多重通話機能をイネーブルにする。プロセスブロックＳ４１０の後で、プロセス４００はプロセスブロックＳ４１２に移ることができる。プロセスブロックＳ４１２でプロセス４００は終了する。代替的に、プロセス４００は、連続的に、又は、UEにより検出された悪い信号対雑音比（SNR）の状態のような条件の結果として引き起こされる際に、周期的に繰り返すことができる。
【００３９】
さらに、プロセスブロックＳ４０２〜Ｓ４１２は、全プロセス４００を繰り返さずに、連続的に、又は、条件の結果として引き起こされる際に、周期的に繰り返すことができる。例えば、プロセスブロックＳ４０２〜Ｓ４１２は、悪い信号対雑音比（SNR）の状態がUEにより検出される刺激に応じて、何回も繰り返すことができる。他の組み合わせ及び置換は、同様に可能である。
【００４０】
図５は、本発明の第５の例示的な実施形態による無線通信システムにおいてのハンドオーバにおける少なくとも１つの通話の処理の例示的プロセス５００を示すフロー図である。図５を参照するに、本発明の第５の例示的な実施形態において、プロセス５００は図1のプロセス１００及び図４のプロセス４００に類似しており、プロセス５００を以下に説明する。プロセス５００はプロセスブロックＳ５０２から開始して、プロセスブロックＳ５０４へ移る。
【００４１】
プロセスブロックＳ５０４において、無線通信ネットワークは、UEが、多重通話を支持し、回路交換（CS）通話へ切り替えるべきパケット交換（PS）通話の数を決定するかどうかを考慮する。無線通信ネットワークは、プロセス５００が開始する前に、UEが、多重通話機能を有しているかどうかを知らないと仮定するため、無線通信ネットワークは、UEが、多重通話機能を有しているかどうかを最初に確認する。プロセスブロックＳ５０４の後に、プロセス５００はプロセスブロックＳ５０６へ移ることができる。
【００４２】
プロセスブロックＳ５０６において、UEは、少なくとも１つのパケット交換（PS）通話を、少なくとも１つの回路交換（CS）通話へ切り替えるための無線通信ネットワークからのメッセージを受信する。なお、少なくとも１つのパケット交換（PS）通話を、少なくとも１つの回路交換（CS）通話へ切り替えるための無線通信ネットワークからのメッセージは、ハンドオーバのコマンドである。その上、ハンドオーバのコマンドは、ハンドオーバからUTRANへのコマンドになることができ、回路交換（CS）無線アクセスベアラー（RAB）の無線アクセスベアラー（RAB）識別子は、回路交換（CS）通話用のハンドオーバからUTRANへのコマンドに含まれる。さらに、ハンドオーバのコマンドは、ハンドオーバからGERANへのコマンドになることができ、回路交換（CS）無線アクセスベアラー（RAB）の無線アクセスベアラー（RAB）識別子は、回路交換（CS）通話用のハンドオーバからGERANへのコマンドに含まれる。UEが多重通話機能を有していないことを、無線通信ネットワークが決定すれば、少なくとも１つのパケット交換（PS）通話及び少なくとも１つの回路交換（CS）通話は、１つのパケット交換（PS）通話及び１つの回路交換（CS）通話になり得る。それに反して、UEが多重通話機能を有していること及び１つ以上のパケット交換（PS）通話を１つ以上の回路交換（CS）通話へ切り替えなければならないことを、無線通信ネットワークが決定すれば、少なくとも１つのパケット交換（PS）通話及び少なくとも１つの回路交換（CS）通話は、それぞれ、複数のパケット交換（PS）通話及び複数の回路交換（CS）通話を含むことができる。
【００４３】
プロセスブロックＳ５０８において、UEが多重通話機能を有していることが決定されれば、UEは、少なくとも１つの回路交換（CS）通話のストリーム識別子（SI）に識別子の値を設定する。それに対応して、無線通信ネットワークは、少なくとも１つの回路交換（CS）通話の無線通信ネットワークに保存されたストリーム識別子（SI）に、UEにより設定されたものと同一の識別子の値を設定する。これに反して、UEが多重通話機能を有していないことが決定されれば、UEは、UEが多重通話機能をサポートしない際に、パケット交換（PS）通話のうちの１つだけを回路交換（CS）通話へ切り替える。通常、プリセットの最優先順位の高いパケット交換（PS）通話は、回路交換（CS）通話へ切り替えられ、一方、残りのパケット交換（PS）通話は、（存在するならば）廃棄されるか又はパケット交換（PS）ドメインへハンドオーバされる。プロセスブロックＳ５０８の後で、プロセス５００はプロセスブロックＳ５１２に移ることができる。プロセスブロックＳ５１２でプロセス５００は終了する。代替的に、プロセス５００は、連続的に、又は、UEにより検出された悪い信号対雑音比（SNR）の状態のような条件の結果として引き起こされる際に、周期的に繰り返すことができる。
【００４４】
さらに、プロセスブロックＳ５０２〜Ｓ５１２は、全プロセス５００を繰り返さずに、連続的に、又は、条件の結果として引き起こされる際に、周期的に繰り返すことができる。例えば、プロセスブロックＳ５０２〜Ｓ５１２は、悪い信号対雑音比（SNR）の状態がUEにより検出される刺激に応じて、何回も繰り返すことができる。他の組み合わせ及び置換は、同様に可能である。
【００４５】
本発明は、また、無線通信システムにおいてのハンドオーバにおける少なくとも１つの通話を処理する方法を使用する無線通信装置を提案する。その無線通信装置を以下に詳細に説明する。
【００４６】
図６は、本発明の第６の例示的な実施形態による無線通信システムにおいてのハンドオーバにおける少なくとも１つの通話の処理用の無線通信装置６００の構造を例示する概略ブロック図である。図６を参照するに、無線通信装置６００は、メッセージ受信モジュール６１０、ストリーム識別子構成モジュール６２０、送受信機モジュール６３０、パケット交換（PS）通話数確認モジュール６４０、無線リンク構成マッピングモジュール６５０、回路交換（CS）無線アクセスベアラー（RAB）決定モジュール６６０、多重通話機能ディセーブルモジュール６７０、多重通話機能イネーブルモジュール６７５、パケット交換（PS）通話−回路交換（CS）通話切り替えモジュール６８０、プロセッサ６９０及びメモリモジュール６９５を含む。
【００４７】
メッセージ受信モジュール６１０は、少なくとも１つのパケット交換（PS）通話を、少なくとも１つの回路交換（CS）通話へ切り替えるための無線通信ネットワークからのメッセージを受信する。さらに、ストリーム識別子構成モジュール６２０は、少なくとも１つの回路交換（CS）通話のストリーム識別子（SI）に識別子の値を設定する。その上、送受信機モジュール６３０は、情報を無線通信ネットワークへ送信し、情報を無線通信ネットワークから受信し、受信した情報は、少なくとも１つのパケット交換（PS）通話から少なくとも１つの回路交換（CS）通話へ切り替えるためのメッセージを含む。
【００４８】
パケット交換（PS）通話数確認モジュール６４０は、無線通信装置が、回路交換（CS）通話へ切り替えなければならない１つ以上のパケット交換（PS）通話を、現在、有しているかどうかを確認する。さらに、無線リンク構成マッピングモジュール６５０は、無線通信装置が、回路交換（CS）通話へ切り替えなければならない１つ以上のパケット交換（PS）通話を、現在、有していることを確認されれば、各回路交換（CS）通話の無線リンク構成を、回路交換（CS）無線アクセスベアラー（RAB）の特性により、対応するインターネット・プロトコル・マルチメディア・サブシステム（IMS）の通話を処理するアプリケーションへ表わす。
【００４９】
回路交換（CS）無線アクセスベアラー（RAB）決定モジュール６６０は、回路交換（CS）無線アクセスベアラー（RAB）の構成により、回路交換（CS）無線アクセスベアラー（RAB）が音声通話であるか、又は、データ要求であるかどうかを決定する。
【００５０】
多重通話機能ディセーブルモジュール６７０は、無線通信装置の多重通話機能をディセーブルにする。これに対して、多重通話機能イネーブルモジュール６７５は、無線通信装置が回路交換（CS）通話を解除する際、無線通信装置の多重通話機能をイネーブルにする。
【００５１】
パケット交換（PS）通話−回路交換（CS）通話切り替えモジュール６８０は、少なくとも１つのパケット交換（PS）通話を少なくとも１つの回路交換（CS）通話へ切り替える。もっと具体的に言えば、パケット交換（PS）通話−回路交換（CS）通話切り替えモジュール６８０は、パケット交換（PS）通話−回路交換（CS）通話切り替えモジュール６８０は、もともとは１つのネットワーク（例えば、E-UTRAN）内の少なくとも１つのパケット交換（PS）通話を、別のネットワーク（例えば、UTRAN及びGERAN）内の少なくとも１つの回路交換（CS）通話へ切り替える。
【００５２】
メモリモジュール６９５は、メッセージ受信モジュール６１０、ストリーム識別子構成モジュール６２０、送受信機モジュール６３０、パケット交換（PS）通話数確認モジュール６４０、無線リンク構成マッピングモジュール６５０、回路交換（CS）無線アクセスベアラー（RAB）決定モジュール６６０、多重通話機能ディセーブルモジュール６７０、多重通話機能イネーブルモジュール６７５及びパケット交換（PS）通話−回路交換（CS）通話切り替えモジュール６８０に関連するソフトウェアプログラム又は、ソフトウェアモジュール並びに、少なくとも１つのパケット交換（PS）通話から少なくとも１つの回路交換（CS）通話へ切り替えるための無線通信装置からの少なくとも１つのメッセージを保存する。さらに、メモリモジュール６９５は、データ及びソフトウェアプログラムを保存するのに適合した1つ以上のメモリ装置にすることができる。例えば、メモリモジュール６９５は、RAM（ランダム・アクセス・メモリ）、ROM（読み出し専用メモリ）、磁気記憶装置、フラッシュメモリ記憶装置又は光学式記憶装置にすることができる。
【００５３】
プロセッサ６９０は、メッセージ受信モジュール６１０、ストリーム識別子構成モジュール６２０、パケット交換（PS）通話数確認モジュール６４０、無線リンク構成マッピングモジュール６５０、回路交換（CS）無線アクセスベアラー（RAB）決定モジュール６６０、多重通話機能ディセーブルモジュール６７０、多重通話機能イネーブルモジュール６７５及びパケット交換（PS）通話−回路交換（CS）通話切り替えモジュール６８０を実行し、送受信機モジュール６３０を制御する。また、プロセッサ６９０は、メモリモジュール６９５に保存された他のソフトウェアアプリケーション又はソフトウェアモジュールを実行することができる。
【００５４】
無線通信装置６００は、情報を無線通信ネットワーク（例えば、E-UTRAN、UTRAN及びGERAN）へ送信し、情報を無線通信ネットワークから受信し、前述の例示的な実施形態により、無線通信システムにおいてのハンドオーバにおける少なくとも１つの通話の処理のための任意の上記の例示的なプロセスを適用することができる。コンピュータ可読記録媒体は、データを保存し、その後、コンピュータシステムにより読み出すことができる任意のデータ記憶装置である。コンピュータ可読記録媒体の例は、以下に限定されないが、読み出し専用メモリ（ROM）、ランダム・アクセス・メモリ（RAM）、CD- ROM（シーディーロム）、磁気テープ、フロッピーディスク（登録商標）、フラッシュメモリ、光学式記憶装置及び（有線又は無線の伝送路によるインターネットを通してのデータ伝送のような）搬送波を含む。コンピュータ可読記録媒体は、また、コンピュータ可読コードが分散型で保存され実行されるように、ネットワーク結合コンピュータシステム上に分散することができる。また、本発明を実施するための関数プログラム、コード及びコードセグメントは、当業者のプログラマーにより本発明の範囲内として容易に理解することができる。
【００５５】
要約すれば、本発明の実施形態は、無線通信システムにおいてのハンドオーバにおける少なくとも１つの通話処理方法及び無線通信システムにおいてのハンドオーバにおける少なくとも１つの通話処理のための無線通信装置を提案する。無線通信装置は、１つの無線通信ネットワーク内の少なくとも１つのパケット交換（PS）通話を、別の無線通信ネットワーク内の少なくとも１つの回路交換（CS）通話へ切り替えるための無線通信ネットワークから送られたメッセージを受信した後に、少なくとも１つの回路交換（CS）通話のストリーム識別子（SI）に識別子の値を設定する。無線通信ネットワークは、また、少なくとも１つの回路交換（CS）通話用のストリーム識別子（SI）に、それに対応して、同一の識別子の値を設定することができる。従って、本方法は、少なくとも１つの回路交換（CS）通話用のストリーム識別子（SI）の不一致による、少なくとも１つの回路交換（CS）通話のセットアップの失敗を避けることができる。また、本方法は、１つの無線通信ネットワーク内の少なくとも１つのパケット交換（PS）通話から、別の無線通信ネットワーク内の少なくとも１つの回路交換（CS）通話への、単一無線音声通話連続（SRVCC）の多重通話のハンドオーバをイネーブルにする。
【００５６】
本発明は、上記例示的な実施形態により、上記のように開示されたが、それらは、本発明を限定することを意図するものではない。任意の当業者は、本発明の精神及び範囲から逸脱することなく、修正及び変更をすることができる。従って、本発明の保護範囲は、添付の特許請求の範囲に収まる。
【図１】
2010273339.tif 000003
【図２】
2010273339.tif 000004
【図３】
2010273339.tif 000005
【図４】
2010273339.tif 000006
【図５】
2010273339.tif 000007
【図６】
2010273339.tif 000008
【外国語明細書】
2010273339000001.pdf